【事件の表示】
　特願２００３−　３５５９５「有機溶剤浸透防止構造を有する複合配管及び有機溶剤浸透防止方法」拒絶査定不服審判事件〔平成１６年　９月　２日出願公開、特開２００４−２４５３１７〕について、次のとおり審決する。
【結　論】
　本件審判の請求は、成り立たない。
【理　由】
第１　手続の経緯
　
　本願は、平成１５年２月１３日の特許出願であって、原審において平成１６年９月１日付けで拒絶理由通知がなされ、平成１６年１１月４日付けで意見書及び手続補正書が提出されたが、平成１７年１月３１日付けで拒絶査定がなされ、これに対し、平成１７年３月１０日付けで審判請求がなされるとともに、平成１７年４月１日付けで、この審判請求書を補正対象とする手続補正と、明細書を補正対象とする手続補正の２つの手続補正がなされ、その後、特許法第１６２条による審査がなされ、平成１７年１１月９日付けで特許庁長官への報告がなされ、平成１８年３月３日付けで上申書が提出されたものである。
　
　
　
　
　
　
第２　補正却下の決定
　
　［補正却下の決定の結論］
　平成１７年４月１日付けの、明細書を補正対象とする手続補正を却下する。
　
　［理由］
１．補正後の各請求項に係る発明
　補正後の請求項１及び２に係る発明は、上記平成１７年４月１日付けの手続補正によって補正された明細書及び図面の記載からみて、その特許請求の範囲の請求項１及び２に記載された事項により特定される次のとおりのものである。
「【請求項１】
　土壌中に埋設される複合配管であって、
　樹脂層と金属層とが複合化され、前記金属層の端面が露出する分岐孔を有する複合管と、
　前記複合管の外周面に取り付けられるサドルと、
　前記分岐孔を取り囲むように前記複合管と前記サドルとの間に挿入され、外部流体が前記分岐孔に流入するのを遮断するパッキング材と、
　前記サドルに締結され、前記複合管の分岐孔に連通する金属流路を有する分水栓と、
　外部流体の流路内への浸透を防ぐために前記分水栓の流路と前記複合管の分岐孔との連通部に挿入され、拡径されることにより前記分水栓の流路内壁に圧着される第１の金属圧着部と、前記分岐孔の周囲に露出する前記金属層の端面に圧着される第２の金属圧着部と、前記樹脂層に係止される係止部とを有する筒状の金属インナーコアと、
を備えることを特徴とする有機溶剤浸透防止構造を有する複合配管。
　　【請求項２】
　土壌中に埋設される複合管せん孔部の有機溶剤浸透防止方法であって、
　樹脂層と金属層とが複合化された複合管の外周にパッキング材を介在させてサドル付分水栓を取り付け、
　前記分水栓の流路にせん孔工具を挿入して前記複合管を貫通する分岐孔をせん孔し、
　前記分水栓の流路と前記複合管の分岐孔との連通部に筒状の金属インナーコアを挿入し、
　拡径工具を前記金属インナーコアに挿入して該金属インナーコアを拡径し、前記金属インナーコアの外周を前記分水栓の金属流路内壁に金属圧着させると共に、前記分岐孔の周囲に露出する前記金属層の端面にも金属圧着させる、
ことを特徴とする複合管せん孔部の有機溶剤浸透防止方法。」
　
　上記補正は、補正前の請求項１に記載されていた「複合配管」，「流路」，「第１の圧着部」及び「第２の圧着部」を、「土壌中に埋設される複合配管」，「金属流路」，「第１の金属圧着部」及び「第２の金属圧着部」とそれぞれ限定し、更に、補正前の請求項２に記載されていた「複合管せん孔部の有機溶剤浸透防止方法」，「流路内壁」及び「圧着させる」（２箇所）を、「土壌中に埋設される複合管せん孔部の有機溶剤浸透防止方法」，「金属流路内壁」及び「金属圧着させる」（２箇所）とそれぞれ限定すると共に、これらの限定と整合性をとるため、発明の詳細な説明を補正するものであって、これらの補正は特許法第１７条の２第４項第２号の特許請求の範囲の減縮、及び同項第４号の明瞭でない記載の釈明を目的とするものに該当する。
　そこで、本願の補正後の請求項１に係る発明（以下「本願補正後発明１」という。）が特許出願の際に独立して特許を受けることができるものであるか（特許法第１７条の２第５項において準用する同法第１２６条第５項の規定に適合するか）について以下に検討する。
　
　
２．引用刊行物に記載された発明
（１）刊行物１に記載された発明
　原査定の拒絶の理由に引用された
刊行物１：特開平１０−１９６８７１号公報
　には、図面と共に次のａ．〜ｃ．の記載がある。
ａ．「【０００１】
【産業上の利用分野】この発明は樹脂管用サドル付分水栓に関し、特にたとえば
水道用ポリエチレン管から
樹脂管用サドル付分水栓
【０００２】
【従来の技術】この種の従来のサドル付分水栓では、管の分岐部に取り付けられるサドルの取付面に、水密性を確保するためのガスケットが介在される。そして、鋼管，鋳鉄管，石綿管または硬質塩ビ管等のように、硬質な管にこのサドル付分水栓を取り付けた場合には、ガスケットによってサドル取付面の水密性が長期間にわたり保持される。
【０００３】
【発明が解決しようとする課題】一方、このようなサドル付分水栓を、ポリプロピレン樹脂，ポリエチレン樹脂またはポリブテン樹脂等からなる樹脂管に取り付けることも考えられる。しかし、これらの樹脂管は軟質であるため、長期間使用するとガスケットからの面圧や樹脂管自体の残留応力により、ガスケット周辺の管壁が管の内方にクリープ変形してしまう。したがって、ガスケットが十分に機能せずに、サドルの取付面から漏水が生じるという問題点があった。
【０００４】それゆえに、この発明の主たる目的は、長期間使用しても水密性を保持できる、樹脂管用サドル付分水栓を提供することである。
【０００５】
【課題を解決するための手段】この発明は、樹脂管の外面に取り付けられるサドル、樹脂管とサドルとの間に介在されるガスケット、サドルを介して樹脂管に連通しかつ分岐管接続部を有する分水栓、および分水栓に係止される第１係止部と、樹脂管に係止される第２係止部とを有するインサートコアを備える、樹脂管用サドル付分水栓である。
【０００６】
【作用】インサートコアの第１係止部および第２係止部をそれぞれに分水栓および樹脂管に係止させて、分水栓と樹脂管との位置関係を規定する。樹脂管には、サドルと樹脂管との間に介在されるガスケットの面圧や管自体の残留応力が作用し、管壁が内方へ変形しようとする。しかし、この力はインサートコアにより吸収され、樹脂管の変形が防止される。
【０００７】
【発明の効果】この発明によれば、インサートコアにより樹脂管の変形を防止するので、ガスケットが十分に機能し、サドルの取付面の水密性を長期にわたって保持することができる。この発明の上述の目的，その他の目的，特徴および利点は、図面を参照して行う以下の実施例の詳細な説明から一層明らかとなろう。」（下線は当審が付した。以下、同じ。）
　
ｂ．「【０００８】
【実施例】図１に示すこの実施例の樹脂管用サドル付分水栓１０は、樹脂管１２上から分岐管（図示せず）を分岐するためのものである。
樹脂管１２は
分岐孔１２ａが設けられ
【０００９】樹脂管１２の分岐孔１２ａに対応する位置には、サドル付分水栓１０を構成するサドルバンド１４が配置される。
サドルバンド１４は、鋳鉄等の金属からなり樹脂管１２の外周面を受容し得る内周面を有する半割り構造の部品であって、
ボルト・ナット１６を用いて樹脂管１２に締結される
樹脂管１２の上側に配置されるバンド１４ａの中央上端からは分岐孔１２ａを中心にさらに上方へ円筒状に延びて、分水栓１８を支持するためのサドル２０が形成される
サドル２０の下端部の内面には周方向に連続する溝２０ａが設けられ、この溝２０ａには
環状のガスケット２２が、分岐孔１２ａ周辺の樹脂管１２の管壁を押圧するように装着される
サドル２０の上端部の内面には雌ねじ部２０ｂが形成され、雌ねじ部２０ｂには、たとえばＢＣ６等の金属からなる十字形の分水栓１８の縦辺を構成する縦管２４の、下端部外面に形成される雄ねじ部２４ａが螺合され、サドル２０に分水栓１８が固定される
図示しない分岐管を接続するための分岐管接続部２８
【００１０】図２からよくわかるように、
分水栓１８の縦管２４の下端部内面と樹脂管１２の分岐孔１２ａの内面とはインサートコア３６によって連結される
銅のような変形容易な金属等からなり短管状に形成され
樹脂管１２と分水栓１８の縦管２４との内部がインサートコア３６内を介して連通される
インサートコア３６の上端外面には外方に延びかつ周方向に連続する第１係止部３６ａが設けられ、第１係止部３６ａは分水栓１８の段差２４ｂに係止される
下端部外面には
第２係止部３６ｂが設けられ、第２係止部３６ｂは樹脂管１２の分岐孔１２ａの内面に食い込んだ状態で、樹脂管１２に係止される
【００１１】このような樹脂管用サドル付分水栓１０を樹脂管１２の所定位置に取り付ける際には、まずサドル２０にガスケット２２が装着されかつ分水栓１８が固定された上側のバンド１４ａと下側のバンド１４ｂとをボルト・ナット１６を用いて樹脂管１２の外面に締結する。次に、分水栓１８の縦管２６の上端のキャップ２４ｃを外してこの部分から
穿孔機等を用いて樹脂管１２に分岐孔１２ａを設ける
　
ｃ．「【００１２】図３〜図７を参照して、インサートコア３６を用いて、分水栓１８と樹脂管１２とを位置決めするときには、図３に示すような挿入棒４０を含む挿入機（図示せず）を使用する。ここで、インサートコア３６は、取り付け前には下端外面に設けられる第２係止部３６ｂ（図２）が形成されず、反対にインサートコア３６の下端内面から内方へ延びる突部３６ｃが形成される。挿入棒４０は金属からなり、その挿入端部（下端部）には、テーパ面を介して成形部４０ａが設けられる。また、挿入棒４０の挿入端面からはねじ穴４０ｃが設けられる。
【００１３】そして、図４に示すようにインサートコア３６の上端から挿入棒４０を挿入し、挿入棒４０の先端のねじ穴４０ｃに突部３６ｃの内径よりやや大きい外径を有する止めビス４２を螺合することにより挿入棒４０とインサートコア３６とを一体化し、図４中に矢印で示すように分水栓１８の縦管２４に上方から挿入する。図５に示すように、インサートコア３６の第１係止部３６ａが縦管２４の下端部内面の段差２４ｂに係止されると、インサートコア３６が分水栓１８に係止される。一方、挿入棒４０をさらに奥へ挿入すると、挿入棒４０の成形部４０ａがインサートコア３６の突部３６ｃを拡径するように変形させる。このとき図６に示すように、
拡径変形された突部３６ｃは樹脂管１２の分岐孔１２ａの内面に食い込んで係止され、第２係止部３６ｂになる
【００１４】このようにして樹脂管１２に取り付けられたサドル付分水栓１０において、栓棒３４を必要に応じて回転して分水栓１８を開くと、樹脂管１２内を水が流れる場合には、この水は、分岐孔１２ａの部分からインサートコア３６の内面および分水栓１８内の管路を通して、分岐管接続部２８に分水栓用ソケットを介して接続される図示しない分岐管へと供給される。
【００１５】また、サドルバンド１４を締結することにより、サドル２０に装着されるガスケット２２からは、樹脂管１２を内方へクリープ変形させる力（ガスケット２２の面圧や樹脂管１２自体の残留応力）が作用するが、この力はインサートコア３６に吸収され、樹脂管１２の変形が防止される。したがって、
ガスケット２２が十分に機能し、長期間にわたりサドル２０の取付面の水密性を保持できる
　
ｄ．したがって、刊行物１には、
「水道用ポリエチレン管等の樹脂管１２、樹脂管用サドル付分水栓、及び、この分水栓に接続される分岐管であって、
　樹脂管１２には分岐孔１２ａが設けられ、
　樹脂管用サドル付分水栓は、
　樹脂管１２の外周面を受容し得る内周面を有する半割り構造のサドルバンド１４を有し、ボルト・ナット１６により樹脂管１２に締結されるサドル２０と、
　サドル２０の内面に設けられる溝２０ａに、分岐孔１２ａ周辺の樹脂管１２の管壁を押圧し、水密性を保持するように装着される環状のガスケット２２と、
　ＢＣ６等の金属から形成され、内部に縦管２４が縦設され、この縦管２４の下端部外面に形成された雄ねじ部２４ａが、サドル２０の上端部の内面に形成された雌ねじ部２０ｂに螺合することによりサドル２０に固定され、縦管２４の内部が樹脂管１２の分岐孔１２ａと連通する分水栓１８と、
　銅のような変形容易な金属から短管状に形成され、上端外面には分水栓１８の段差２４ｂに係止される第１係止部３６ａを設け、下端部外面には拡径されて樹脂管１２の分岐孔１２ａの内面に食い込んだ状態で樹脂管１２に係止される第２係止部３６ｂを設け、分水栓１８の縦管２４の下端部内面と樹脂管１２の分岐孔１２ａの内面とを連結するインサートコア３６と、
を備える樹脂管用サドル付分水栓である、
水道用ポリエチレン管等の樹脂管１２、樹脂管用サドル付分水栓、及び、この分水栓に接続される分岐管。」
なる発明が記載されている。
　
　
（２）刊行物２に記載された発明
　原査定の拒絶の理由に引用された
刊行物２：特開２００２−３６４３１号公報
　には、図面と共に次のａ．〜ｅ．の記載がある。
ａ．「【０００１】
【発明の属する技術分野】本発明は、
埋設
水道用ポリエチレン配管
【０００２】
【従来の技術】従来のポリエチレン管材料としてはＰＥ１００が使用され、最高許容圧力が１ＭＰａの場合、ＳＤＲ（管外径と肉厚の比）が１１の管が、日本水道協会の規格として国内で実用化されている。ＰＥ１００は現在、実用化されている最高グレードのポリエチレンであるが、
ポリエチレン管は、耐震性、柔軟性、耐食性などの特長を有し、埋設水道用としてその使用比率は高まりつつある
【０００３】
【発明が解決しようとする課題】しかし、埋設水道用のポリエチレン管は、有機溶剤に汚染された土壌に敷設された場合、ポリエチレン管の肉厚を
有機溶剤が浸透し
　
ｂ．「【０００５】さらに、ポリエチレン管の接合は、熱融着で接合する方法をとれば、接合強度を管自体の強度より強くすることができ、一体管路構造配管となって耐震性に強さを発揮するが、一般に他材質との複合管にするとポリエチレン部分だけの融着を行うために、余分な他材質を分離するなど厄介な前処理が必要になる。本発明は上記の課題を解消して、有機溶剤の汚染土壌、屋外露出でのポリエチレン管の配管を可能にし、薄肉化で軽量、軽コストな配管を提供する。また、ポリエチレンの材料特性を充分引き出せる熱融着接合も容易に可能な複合管を提供するものである。
【０００６】
【課題を解決するための手段】本発明の要旨は、ポリエチレン管の外側に金属シートを巻き付け、さらにその外側に繊維補強を施した複合管である。また、
ポリエチレン管の外側に金属シートを巻き付け、さらにその外側にポリエチレン被覆を施した複合管
　
ｃ．「【０００７】
【実施例】  以下本発明の実施例を図面に基づいて説明する。図１は、本発明の複合管の各層を露出させた状態を示す。ポリエチレン管１の外層に金属シート２を巻き付け、最外層に繊維補強３を施している。繊維補強３として例えば樹脂を含浸させたカーボンファイバー或いはグラスファイバーを巻き付けたもの又は編んだものが用いられる。本発明のポリエチレン管１の材料も、ＰＥ１００を使用して差し支えない。但し、ＳＤＲは、もっと大きく２６や３３といった薄肉品を採用しても、最外層に繊維補強３を施しているために、１ＭＰａの圧力には充分持つことになる。
【０００８】また、中間層である金属シート２は、アルミ、ステンレス、チタン箔などの極薄い金属製のものであればよい。
この金属シートの主機能は、有機溶剤などの汚染土壌において、ポリエチレン管１への溶剤浸透防止を主目的とするものである
【０００９】本来、ポリエチレンは不活性な非常に安定した樹脂であるので、これを確実に接着することは難しいと言われていて、本発明でも金属シート２とポリエチレン管１の間に接着剤などを介していない。したがって、本複合管を切断すれば、その端面部で金属シート２はポリエチレン管１から簡単に剥がれることになり、ポリエチレン管１を熱融着接合する時には、ポリエチレン以外のものが介在しないので、余分な前処理もなく簡単な接合ができる。
【０００１０】一般に、ポリエチレンは光酸化によって劣化を起こすため、水道管として使用する場合も埋設配管を標準としていて、これを橋梁添架のような屋外露出配管に使用する場合は、鋼板などで外側を保護しなければならない。これに対し、本発明の複合管では、金属シート２、繊維補強３が遮光の役目を果たすので、特別な保護をすることなく屋外露出配管に使用できる。」
　
ｄ．「【００１１】図２は、本発明の他の実施例を示す。
ポリエチレン管１の外層に金属シート２を巻き付け、最外層にポリエチレン被覆４を施している
【００１２】図２の実施例が図１の実施例と異なる点は、最外層が繊維補強でなくポリエチレン被覆４であることである。ポリエチレン被覆４は、ポリエチレン管１を押し出し成形する際に、金属シート２を巻いた後、同様な押し出し機で外層被覆を行えば製造可能である。したがって、繊維補強を施すよりは、同様な設備が使える点で、製造としては簡単である。しかし機能面で、溶剤浸透防止機能、熱融着接合性を有するが、薄肉軽量化や屋外露出には対応出来ない点が、図１の実施例と異なる。」
　
ｅ．「【００１３】
【発明の効果】以上のように本発明の複合管は、有機溶剤の汚染土壌、屋外露出でのポリエチレン管の配管を可能にし、薄肉化で軽量、軽コストな配管を提供できる。また、ポリエチレンの材料特性を充分引き出せる熱融着接合も可能な複合管である。」
　
ｆ．したがって、刊行物２には、
「ポリエチレン管１の外層に、ポリエチレン管１への溶剤浸透防止を目的とする金属シート２を巻き付け、最外層にポリエチレン被覆４を施して複合管とした、有機溶剤などの汚染土壌に埋設される水道用の複合管。」
なる発明が記載されている。
　
　
　
３．対比
　本願補正後発明１と、刊行物１に記載された発明とを対比する。
《用語の対応》
　刊行物１に記載された発明の、
・ガスケット２２、
・縦管２４、
・第２係止部３６ｂ、
・インサートコア３６、
は、本願補正後発明１の、
・パッキング材、
・金属流路、
・係止部、
・インナーコア、
にそれぞれ相当すると認められる。　
　また、刊行物１に記載された発明の「水道用ポリエチレン管等の樹脂管１２、樹脂管用サドル付分水栓、及び、この分水栓に接続される分岐管」が、配管を形成することは自明である。
　
《一致点》
　したがって、本願補正後発明１と、刊行物１に記載された発明とは、
「分岐孔を有する管と、
　前記管の外周面に取り付けられるサドルと、
　前記分岐孔を取り囲むように前記管と前記サドルとの間に挿入されるパッキング材と、
　前記サドルに締結され、前記管の分岐孔に連通する金属流路を有する分水栓と、
　前記分水栓の流路と前記管の分岐孔との連通部に挿入され、拡径されることにより、前記管に係止される係止部を有する筒状の金属インナーコアと、
を備えることを特徴とする配管。」
で一致する。
　
《相違点》
　そして、両発明は下記Ａ〜Ｄの４点で相違する。
　相違点Ａ：本願補正後発明１では、複合配管が「土壌中に埋設される」としている。
　これに対し、刊行物１に記載された発明では、上述のように配管を形成する「水道用ポリエチレン管等の樹脂管１２、樹脂管用サドル付分水栓、及び、この分水栓に接続される分岐管」が、土壌中に埋設されるという記載は刊行物１にない。
　なお、配管が複合のものであるかどうかの相違については、下記の相違点Ｂで扱う。
　
　相違点Ｂ：本願補正後発明１では、管が「樹脂層と金属層とが複合化され、前記金属層の端面が露出する複合管」であり、また、配管も「複合配管」であり、係止部が「樹脂層に係止され」ている。
　これに対し、刊行物１に記載された発明では、「水道用ポリエチレン管等の樹脂管１２」がこのような複合管ではなく、同発明の「水道用ポリエチレン管等の樹脂管１２、樹脂管用サドル付分水栓、及び、この分水栓に接続される分岐管」は配管であっても、上記のような「複合配管」ではない。また同発明において「第２係止部３６ｂ」は上記「樹脂管１２」に係止されるが、この管には樹脂層と金属層の区分けがない。
　
　相違点Ｃ：本願補正後発明１では、インナーコアが「外部流体の流路内への浸透を防ぐために」挿入され、このインナーコアが「拡径されることにより、前記分水栓の流路内壁に圧着される第１の金属圧着部と、前記分岐孔の周囲に露出する前記金属層の端面に圧着される第２の金属圧着部と」を有する。また、本願補正後発明１の「複合配管」は「有機溶剤浸透防止構造を有する」とされている。
　これに対し、刊行物１に記載された発明では「インサートコア３６」に設けられている「第１係止部３６ａ」は、銅のような変形容易な金属から形成されており、分水栓１８の段差２４ｂに係止されるが、本願補正後発明１の「第１の金属圧着部」のように「拡径されることにより、分水栓の流路内壁に圧着される」わけではない。また、刊行物１に記載された発明には、本願補正後発明１の「前記分岐孔の周囲に露出する前記金属層の端面に圧着される第２の金属圧着部」に相当するものはない。さらに、刊行物１に記載された発明では、「インサートコア３６」が「外部流体の流路内への浸透を防ぐために」設けられるという記載は同刊行物にはない。また、刊行物１に記載された発明における配管（樹脂管１２、樹脂管用サドル付分水栓、及び、この分水栓に接続される分岐管）は、本願補正後発明１のような「有機溶剤浸透防止構造」を有していない。
　
　相違点Ｄ：本願補正後発明１において、パッキング材は「外部流体が前記分岐孔に流入するのを遮断する」とされている。
　これに対し、刊行物１に記載された発明では、ガスケット２２が「外部流体が分岐孔に流入するのを遮断する」という記載は、同刊行物にはない。
　
　
　
４．判断
《相違点Ａについての検討》
　“サドル付分水栓、及び、この分水栓と接続される管”を土中に埋設することは周知の技術である。
　（もし、周知文献が必要であれば、
　　・特開２０００−１７０９８２号公報
「【０００１】【産業上の利用分野】この発明は
サドル付分水栓
地中に敷設された管
給水管
「【００１３】・・・管１２から給水管１４を分岐する際には、まず
地中に敷設された管１２
土で埋める
　　・特開平２００２−２８６１８６号公報
「【０００１】【産業上の利用分野】本発明は、水道に使用するサドル付き分水栓に関し、・・・」
「【０００２】【従来の技術】一般に、水道本管から給水管を分岐させる場合にサドル付き分水栓が使用されている。・・・
配管と
サドル付き分水栓は
地中に埋められる
【００１０】図１は、本願発明の具体的な実施の形態に係
るサドル付き分水栓１
【００１１】サドル付き分水栓１は、分水栓本体３と、該分水栓本体３が取付けられるサドル４１とから構成される。
等を参照。）
　したがって、この周知技術を、刊行物１に記載された発明に組み合わせ、相違点Ａにおける本願補正後発明１の構成に到達することは当業者であれば容易である。
　
《相違点Ｂについての検討》
　刊行物１に記載された発明の「水道用ポリエチレン管等の樹脂管１２」を、刊行物２に記載された発明の、上記２．（２）ｆ．に記載された「水道用の複合管」で置換し、相違点Ｂにおける本願補正後発明１の構成である「樹脂層と金属層とが複合化され、前記金属層の端面が露出する複合管」及び「複合配管」に到達することは当業者であれば容易である。（なお、この置換後、刊行物１段落【００１１】に記載のように「穿孔機等を用いて・・・分岐孔１２ａを設け」れば、穿孔された分岐孔１２ａの内面に、刊行物２記載の「金属シート２」が露出するのは自明である。）
　また、この置換前において、刊行物１に記載された発明の「第２係止部３６ｂ」は「樹脂管１２の分岐孔１２ａの内面に食い込んだ状態で樹脂管１２に係止される」（上記２．（１）ｄ．後半参照）が、刊行物２に記載された発明の「水道用の複合管」は、ポリエチレン管１の外層に溶剤浸透防止のために金属シート２を巻き付けたものである（上記２．（２）ｆ．参照）ので、ポリエチレン管１がこの複合管の主体となっており、上記置換後は上記「第２係止部３６ｂ」をこの主体であるポリエチレン管１に食い込んだ状態で上記「水道用の複合管」に係止するようにすることは当業者であれば容易である。
　したがって、刊行物１に記載された発明に、刊行物２に記載された発明を組み合わせ、相違点Ｂにおける本願補正後発明１の構成に到達することは当業者であれば容易である。
　
　《相違点Ｃについての検討》
　コア部材を穿孔された分岐孔に挿入固着する分水栓において、このコア部材を分岐孔及び分水栓の両方の内周面に拡径により圧着し、水密性を向上させることは周知の技術である。
　（もし、周知文献が必要であれば、
　　・特開平８−１５９３５６号公報
「【０００１】【産業上の利用分野】本発明は、水道配管の本管から支管に分岐して配水される際に、支管基部に配設されて支管への給水を開閉制御する分水栓の設置に際し、分水栓への通水口となる
本管穿孔部から分水栓通水口にかけて挿通し孔壁に密着して漏水を防止すると共に、穿孔壁の錆発生を防止する分水栓密着コア
「【０００４】【発明が解決しようとする課題】従来の上端フランジと下端突縁部の拡開外反により本管穿孔部にコア部材を装着する方法は、本管穿孔部だけにコア部材の拡径のないまま上端フランジと下端の突縁部外反によって装着されているので、分水栓に対するコア部材の係着がなく、
穿孔壁とコア部材外周とが密着しない不安定な装着構造となり、装着部の隙間から錆が発生し、錆漏れによる汚染等が生ずる問題がある
【０００５】
分水栓に対するコア部材の係着と水密性については、コア部材を長く構成して肉厚縮径部を拡径し、穿孔壁とコア部材外周とが密着するようにした
方法はコア部材上端フランジの外径部にＯリングを装着して水密性を保つ構成となっている
【０００６】コア部材上端フランジの外径部に
Ｏリングを装着するには一定のスペースが必要であり
不都合を生じている
【０００７】【課題を解決するための手段】本発明は上記した事情に鑑みこれに対応しようとするものであり、
コア部材の頂部を
曲折構造として
密着構造とすることにより、Ｏリング装着スペースを不要にし
【０００８】
また、
拡径部の圧入によってコア部材全体が拡径し、分水栓通水口と本管穿孔壁にコア部材外周面全体が圧接する
【０００９】更に、コア部材外周面の所要圧接面には、ゴム等の弾性素材による被膜層を固着し
圧接による水密効果を更に高めるようにした
「【００２１】コア部材は、純銅、燐脱酸銅などの可塑性素材によって構成され、・・・筒状本体３の頂部33に押圧による曲折を予定した曲折構造35を設け、その下部には装着される水道本管２上面にコア部材を支持するフランジ部34が形成される。」
「【００２２】曲折構造35は・・・図７に示すように挿入杆４のフランジ部43下端の
テーパー面の圧入により
拡幅して
拡幅端36が分水栓通水口11の内壁に圧接される
「【００２３】コア部材下端は、内側に鉤状にせり出した突縁部31による狭窄部32となっており、これが挿入杆４の着装部41と止着ヘッド44に係止されるが、上部からの押圧による着装部41の挿通と
拡径部42の圧入により
筒状本体３が全体的に拡径され挿入周壁に圧接される
「【図７】  頂部が外反拡幅する実施例のコア部材の装着前における縦断側面図
【図８】  図７のコア部材の装着状態を示す縦断側面図」
　　・特開平９−５７６４３号公報
「【０００４】【発明が解決しようとする課題】しかしながら従来の挿入治具による防錆スリーブの分岐孔への嵌合だけでは、前記分岐孔の内周面に前記防錆スリーブの外周面を圧着させることが困難であって、該分岐孔の外周面と防錆スリーブの外周面との間に
隙間が生じて、該隙間に水が侵入し易く
分岐孔の内周面に錆が発生する
「【００２０】そして図２に示すように、防錆スリーブ７の段部７３が前記配管１の外周面に当接した段階から更に前記前記回転操作筒３５及び上下内筒３２・３３を前記スライド体４と共に前記支持筒３２に対して降下させると、図３に示すように、前記スペーサ５０がテーパ面５１を介して前記防錆スリーブ７の上端側開口部内周面に圧入して、これに伴い、該
防錆スリーブ７の上端側開口部が、前記テーパ面５１で拡径されて前記分岐栓２の通水孔２２内周面に圧接する
「【００２２】そしてこの弾性変形体５の軸方向圧縮に伴う拡径方向への弾性変形により、図４に示すように、該弾性変形体５に挿嵌している前記
防錆スリーブ７が拡径して、前記分岐孔１０の内周面に圧接する
「【００２４】斯くして
前記防錆スリーブ７は、その上端部外周面が前記分岐栓２における通水孔２２の内周面に
長さ方向中間部の外周面が前記分岐孔１０の内周面に
それぞれ密着することとなり
分岐孔１０の内周面が、該防錆スリーブ７により確実に覆われて錆ることがない
等を参照。）
　そうすると、この周知技術を、刊行物１に記載された発明に組み合わせ、相違点Ｃにおける本願補正後発明１の構成である「拡径されることにより、前記分水栓の流路内壁に圧着される第１の金属圧着部と、前記分岐孔の周囲に露出する前記金属層の端面に圧着される第２の金属圧着部」に到達することは当業者であれば容易である。（然るに、この「分岐孔の周囲に露出する前記金属層の端面」は、前記《相違点Ｂについての検討》の欄における（なお、・・・）で述べたように、同欄で言及した「置換」により生じることは自明である。）
　また、この《相違点Ｂについての検討》欄で述べたように、刊行物１に記載された発明の「水道用ポリエチレン管等の樹脂管１２」を、刊行物２に記載された発明の「水道用の複合管」で置換した状態で、上記周知技術を組み合わせ、この組み合わせにより水密性が向上されれば、刊行物２記載の「有機溶剤が浸透」（段落【０００３】）をより完全に防止できるであろうことは当業者であれば容易に推測できると言うべきである。
　したがって、刊行物１に記載された発明に、刊行物２に記載された発明及び上記周知技術を組み合わせ、相違点Ｃにおける本願補正後発明１の構成に到達することは当業者であれば容易である。
　
《相違点Ｄについての検討》
　刊行物１に記載された発明では、「ガスケット２２」により「水密性を保持する」（上記２．（１）ｃ．段落【００１５】、及びｄ．中程、参照）のであるから、上記《相違点Ｂについての検討》欄で述べたような、刊行物１に記載された発明に、刊行物２に記載された発明を組み合わせた状態では、刊行物２記載の「有機溶剤が浸透」が、刊行物１記載の「ガスケット２２」により防止され、この溶剤の「分岐孔１２ａ」への流入が防止されるであろうことは当業者であれば容易に推測できる。
　したがって、刊行物１に記載された発明に、刊行物２に記載された発明を組み合わせ、相違点Ｄにおける本願補正後発明１の構成に到達することは当業者であれば容易である。
　
　
《発明の効果についての検討》
　本願補正後発明１の効果は、刊行物１，２に記載された各発明、及び上記の周知技術から、当業者により容易に推測されたものである。
　
　
　
５．まとめ
　以上のように、本願補正後発明１は、刊行物１，２に記載された各発明、及び上記の周知技術に基づいて当業者が容易に発明をすることができたものであるから、特許法第２９条第２項の規定により特許出願の際独立して特許を受けることができない。
　したがって、本願の補正後の請求項２に係る発明については検討するまでもなく、上記平成１７年４月１日付けの、明細書を補正対象とする手続補正は、特許法第１７条の２第５項において準用する同法第１２６条第５項の規定に違反するので、特許法第１５９条第１項の規定において読み替えて準用する同法第５３条第１項の規定により却下すべきものである。
　
　
　
　
　
第３　本願発明についての検討
　
１．本願発明
　平成１７年４月１日付けの、明細書を補正対象とする手続補正は、上記のとおり却下されたので、本願の請求項１及び２に係る発明は、平成１６年１１月４日付け手続補正によって補正された明細書及び図面の記載からみて、その請求の範囲の請求項１及び２に記載された事項により特定される次のとおりのものである。
「【請求項１】
　樹脂層と金属層とが複合化され、前記金属層の端面が露出する分岐孔を有する複合管と、
　前記複合管の外周面に取り付けられるサドルと、
　前記分岐孔を取り囲むように前記複合管と前記サドルとの間に挿入され、外部流体が前記分岐孔に流入するのを遮断するパッキング材と、
　前記サドルに締結され、前記複合管の分岐孔に連通する流路を有する分水栓と、
　外部流体の流路内への浸透を防ぐために前記分水栓の流路と前記複合管の分岐孔との連通部に挿入され、拡径されることにより前記分水栓の流路内壁に圧着される第１の圧着部と、前記分岐孔の周囲に露出する前記金属層の端面に圧着される第２の圧着部と、前記樹脂層に係止される係止部とを有する筒状の金属インナーコアと、
を備えることを特徴とする有機溶剤浸透防止構造を有する複合配管。
　　【請求項２】
　樹脂層と金属層とが複合化された複合管の外周にパッキング材を介在させてサドル付分水栓を取り付け、
　前記分水栓の流路にせん孔工具を挿入して前記複合管を貫通する分岐孔をせん孔し、
　前記分水栓の流路と前記複合管の分岐孔との連通部に筒状の金属インナーコアを挿入し、
　拡径工具を前記金属インナーコアに挿入して該金属インナーコアを拡径し、前記金属インナーコアの外周を前記分水栓の流路内壁に圧着させると共に、前記分岐孔の周囲に露出する前記金属層の端面にも圧着させる、
ことを特徴とする複合管せん孔部の有機溶剤浸透防止方法。」
　
　
２．引用刊行物に記載された発明
　原査定の拒絶の理由に引用された
刊行物１：特開平１０−１９６８７１号公報
刊行物２：特開２００２−３６４３１号公報
に記載された発明は、上記、第２、２．（１）及び（２）に記載したとおりである。
　
　
３．対比・判断
　本願の請求項１に係る発明（以下、「本願発明１」という。）における「複合配管」，「流路」，「第１の圧着部」及び「第２の圧着部」を、「土壌中に埋設される複合配管」，「金属流路」，「第１の金属圧着部」及び「第２の金属圧着部」とそれぞれ限定したものが、本願補正後発明１である。
　そうすると、本願発明１を限定、減縮したものに相当する本願補正後発明１が、上記第２、３．ないし５．に記載したとおり、上記の刊行物１，２に記載された各発明及び上記の周知技術に基づいて当業者が容易に発明をすることができたものであるから、本願発明１も同様の理由により、上記の刊行物１，２に記載された各発明、及び上記の周知技術に基づいて当業者が容易に発明をすることができたものである。
　
　
４．むすび
　以上のとおりであるから、本願発明１は、上記の刊行物１，２に記載された各発明、及び上記の周知技術に基づいて当業者が容易に発明をすることができたものであり、特許法第２９条第２項の規定により特許を受けることができない。
　したがって、本願の請求項２に係る発明については検討するまでもなく、本出願は拒絶すべきものである。
　よって、結論のとおり審決する。